(57)【要約】【課題】外径の異なる複数種類の電線群のいずれであっても、内径の大きさを対応させて被覆することができる汎用性を有する電線被覆用コルゲートチューブおよびワイヤハーネスを提供する。【解決手段】大径部２１、第１の傾斜面部２３、小径部２２および第２の傾斜面部２４を軸方向に繰り返し備え、断面形状が略台形状であり、かつ周方向の１個所にスリットが形成された電線被覆用コルゲートチューブ２０であって、スリットから周方向に離れた複数位置に、大径部２１以外の内側から切り込まれた切り離し用切り込み部２６ａを、スリットに平行に形成した構成を備える。【選択図】図１
2016082781.tif 000002
【特許請求の範囲】
【請求項１】
軸方向に沿った断面における一方側の断面形状が略台形状であり、かつ周方向の１個所にスリットが形成された電線被覆用コルゲートチューブであって、
前記スリットから周方向に離れた一つまたは複数の位置に、大径部以外の内側から切り込まれた１条または複数条の切り離し用切り込み部を、前記スリットに平行に形成したこと特徴とする電線被覆用コルゲートチューブ。
【請求項２】
前記切り離し用切り込み部は、電線被覆用コルゲートチューブ成形時に形成されることを特徴とする請求項１に記載の電線被覆用コルゲートチューブ。
【請求項３】
前記切り離し用切り込み部は、電線被覆用コルゲートチューブ成形後に機械加工により形成されることを特徴とする請求項１に記載の電線被覆用コルゲートチューブ。
【請求項４】
複数の電線よりなる電線群と、
所要の前記切り離し用切り込み部を切り離すことにより前記電線群の周長に応じた周長に変形して前記電線群を被覆する請求項１ないし請求項３のいずれか１項に記載の電線被覆用コルゲートチューブと、
前記電線被覆用コルゲートチューブに巻き付けた粘着テープよりなるテープ固定部と、を含むことを特徴とするワイヤハーネス。
【発明の詳細な説明】
【技術分野】
【０００１】
本発明は、電線被覆用コルゲートチューブおよびワイヤハーネスに関する。
【背景技術】
【０００２】
従来、自動車に配索される電線群を保護する部材として、ワイヤハーネス外装用の硬質チューブが知られている（例えば、特許文献１参照）。図６に示すように、特許文献１に記載された硬質チューブ１０１は、長手方向に延びるスリットを形成した筒状の周壁１０２を有し、周壁１０２の一方の端部１０２ａおよび他方の端部１０２ｂに凹凸部１０３，１０４を備えており、電線群１０を収容した周壁１０２の両端部１０２ａ，１０２ｂをラップさせたときに、凹凸部１０３，１０４が互いに係合するよう構成されている。
【先行技術文献】
【特許文献】
【０００３】
【特許文献１】特開２０１０−４６３９号公報
【発明の概要】
【発明が解決しようとする課題】
【０００４】
しかしながら、上述した硬質チューブ１０１は、周長が電線群１０の周長よりも長いため、電線群１０を被覆する際に、周壁１０２の両端部１０２ａ，１０２ｂの間に電線群１０を構成する電線を噛み込んでしまうことが懸念され、電線群１０を確実に被覆することができない。
【０００５】
本発明は、上述のような課題を解決するためになされたもので、外径の異なる複数種類の電線群のいずれであっても、内径の大きさを対応させて被覆することができる汎用性を有する電線被覆用コルゲートチューブおよびワイヤハーネスを提供することを目的としている。
【課題を解決するための手段】
【０００６】
本発明に係る電線被覆用コルゲートチューブは、上記目的を達成するため、軸方向に沿った断面における一方側の断面形状が略台形状であり、かつ周方向の１個所にスリットが形成された電線被覆用コルゲートチューブであって、前記スリットから周方向に離れた一つまたは複数の位置に、大径部以外の内側から切り込まれた１条または複数条の切り離し用切り込み部を、前記スリットに平行に形成した構成を備える。
【０００７】
この構成により、本発明に係る電線被覆用コルゲートチューブは、電線群の外径の大きさに対して電線被覆用コルゲートチューブの内径が大き過ぎる場合には、所要の切り離し用切り込み部より余長部を切り離して、大きく広げたスリットから電線群を収容して被覆し、円筒形になるように丸めて電線群に密着させ、スリット幅を狭めて粘着テープを巻き付ける。これにより、電線被覆用コルゲートチューブは、周方向両端部がラップせず、電線群をなす電線が電線被覆用コルゲートチューブの周方向両端部に噛み込まれることがなく、外径が異なる複数種類の電線群のいずれであっても、内径の大きさを対応させて被覆することができる汎用性を有する。
【０００８】
また、本発明に係る電線被覆用コルゲートチューブは、切り離し用切り込み部が電線被覆用コルゲートチューブの内側から切り込まれているので、外側に屈曲させて余長部を引き千切ることが容易である反面、電線被覆状態では切り離し用切り込み部が残っていても千切れてしまう恐れがない。
【０００９】
上述した電線被覆用コルゲートチューブにおいて、前記切り離し用切り込み部は、電線被覆用コルゲートチューブ成形時に形成される構成とすることが好ましい。
【００１０】
この構成により、本発明に係る電線被覆用コルゲートチューブは、電線被覆用コルゲートチューブ成形後、直ちに製品を出荷することができる。
【００１１】
上述した電線被覆用コルゲートチューブにおいて、前記切り離し用切り込み部は、電線被覆用コルゲートチューブ成形後に機械加工により形成されることが好ましい。
【００１２】
この構成により、本発明に係る電線被覆用コルゲートチューブは、電線被覆用コルゲートチューブ成形用金型の形状が複雑にならず、金型製作費を低減することができる。
【００１３】
本発明に係るワイヤハーネスは、複数の電線よりなる電線群と、所要の前記切り離し用切り込み部を切り離すことにより前記電線群の周長に応じた周長に変形して前記電線群を被覆する請求項１ないし請求項３のいずれか１項に記載の電線被覆用コルゲートチューブと、前記電線被覆用コルゲートチューブに巻き付けた粘着テープよりなるテープ固定部と、を含む構成を備える。
【００１４】
この構成により、本発明に係るワイヤハーネスは、電線群の外径の大きさに対して電線被覆用コルゲートチューブの内径が大き過ぎる場合には、所要の切り離し用切り込み部より電線被覆用コルゲートチューブの余長部を切り離して、大きく広げたスリットから電線群を収容して被覆し、円筒形になるように丸めて電線群に密着させ、スリット幅を狭めて粘着テープを巻き付ける。これにより、ワイヤハーネスは、電線被覆用コルゲートチューブの周方向両端部がラップせず、電線群をなす電線が電線被覆用コルゲートチューブの周方向両端部に噛み込まれることがなく、外径が異なる複数種類の電線群のいずれであっても、電線被覆用コルゲートチューブの内径の大きさを対応させて被覆することができる汎用性を有する。
【００１５】
また、本発明に係るワイヤハーネスは、切り離し用切り込み部が電線被覆用コルゲートチューブの内側から切り込まれているので、外側に屈曲させて電線被覆用コルゲートチューブの余長部を引き千切ることが容易である反面、電線被覆状態では切り離し用切り込み部が残っていても千切れてしまう恐れがない。
【発明の効果】
【００１６】
本発明によれば、外径の異なる複数種類の電線群のいずれであっても、内径の大きさを対応させて被覆することができる汎用性を有する電線被覆用コルゲートチューブおよびワイヤハーネスを提供することができる。
【図面の簡単な説明】
【００１７】
【図１】本発明の実施の形態に係るワイヤハーネスの部分縦断面図である。
【図２】図１のＡ−Ａ断面図である。
【図３】図１のＢ−Ｂ断面図である。
【図４】本発明の実施の形態に係る電線被覆用コルゲートチューブの部分斜視図である。
【図５】本発明の実施の形態に係るワイヤハーネスにおいて電線被覆用コルゲートチューブの余長部を切除した場合の横断面図である。
【図６】従来の硬質チューブの正面図である。
【発明を実施するための形態】
【００１８】
以下、本発明の実施の形態に係る電線被覆用コルゲートチューブおよびワイヤハーネスについて、図面を参照して説明する。
【００１９】
図１〜図３に示すように、本実施の形態に係るワイヤハーネス１は、複数の電線１１よりなる電線群１０と、電線群１０を被覆する電線被覆用コルゲートチューブ２０と、電線被覆用コルゲートチューブ２０に巻き付けた粘着テープよりなるテープ固定部３０と、を備えており、自動車に配索されるものである。
【００２０】
電線群１０は、複数の電線１１を例えば図示しない結束バンドによって束ねたものであり、端部に図示しないコネクタを有している。コネクタは、図示しない車載ユニットに接続されるようになっている。
【００２１】
電線被覆用コルゲートチューブ２０は、図１、図４に示すように、軸方向に沿った断面形状が略台形状であり、かつ周方向の１個所にスリット２５が形成され、図２〜図４に示すように、スリット２５から周方向に離れた複数位置に、大径部２１以外の内側から切り込まれた切り離し用切り込み部２６ａ，２６ｂ，２６ｃを、スリット２５に平行に形成した構成を備える。
【００２２】
電線被覆用コルゲートチューブ２０は、図１に示すように、短円筒面で構成される大径部２１と、短円筒面で構成される小径部２２と、大径部２１の一端と小径部２２の一端とを一体に連結する第１の傾斜面部２３と、小径部２２の他端から第１の傾斜面部２３と対称になるよう延在している第２の傾斜面部２４とを有している。
【００２３】
電線被覆用コルゲートチューブ２０は、大径部２１、第１の傾斜面部２３、小径部２２および第２の傾斜面部２４を軸方向に繰り返し備え、断面形状が略台形状になっており、ポリプロピレン等の樹脂材料によって一体成形され、軸方向両端部が縮径するようになっている。小径部２２の断面形状は、電線被覆用コルゲートチューブ２０の軸線に向けて窪む凹円弧状、または三角形状であってもよい。
【００２４】
スリット２５は、図２〜図４に示すように、電線被覆用コルゲートチューブ２０の周方向の１個所に軸方向に連続するよう形成されており、スリット２５の間隙を広げて電線被覆用コルゲートチューブ２０に電線群１０を収容するようになっている。
【００２５】
切り離し用切り込み部２６ａ，２６ｂ，２６ｃは、図３、図４に示すように、電線被覆用コルゲートチューブ２０の内側から大径部２１を除く第１の傾斜部２３、小径部２２および第２の傾斜面部２４に、スリット２５に対して平行となるよう３条切り込まれている。
【００２６】
切り離し用切り込み部２６ａは、スリット２５を基点として電線被覆用コルゲートチューブの周方向に４５°の間隔を置いて形成されている。切り離し用切り込み部２６ｂは、スリット２５を基点として電線被覆用コルゲートチューブ２０の周方向に９０°の間隔を置いて形成されている。切り離し用切り込み部２６ｃは、スリット２５を基点として電線被覆用コルゲートチューブ２０の周方向に１３５°の間隔を置いて形成されている。
【００２７】
テープ固定部３０は、図１〜図３に示すように、スリット２５が開かないよう電線被覆用コルゲートチューブ２０を電線群１０に固定している。この結果、電線群１０は、電線被覆用コルゲートチューブ２０によって保護されるようになっている。
【００２８】
本実施の形態に係るワイヤハーネス１において、電線群１０の外径の大きさと電線被覆用コルゲートチューブ２０の内径の大きさとが略一致している場合、すなわち、電線群１０の外径と電線被覆用コルゲートチューブ２０の周長とが略一致している場合には、大きく広げたスリット２５から電線被覆用コルゲートチューブ２０の内側に電線群１０を収容して、図１〜図３に示すように、電線群１０に未加工の電線被覆用コルゲートチューブ２０を被覆させ、円筒形になるように丸めて電線群１０に密着させる。
【００２９】
さらに、スリット２５の幅を狭めるとともに、電線被覆用コルゲートチューブ２０の外周面に粘着テープを巻き付け、未加工の電線被覆用コルゲートチューブ２０を電線群１０にテープ固定部３０により固定する。
【００３０】
このとき、電線被覆用コルゲートチューブ２０は、周方向両端部がラップせず、電線群１０をなす電線１１が電線被覆用コルゲートチューブ２０の周方向両端部に噛み込まれることはなく、電線群１０を確実に被覆することができる。
【００３１】
本実施の形態に係るワイヤハーネス１において、電線群１０の外径の大きさに対して電線被覆用コルゲートチューブ２０の内径が大き過ぎる場合、すなわち、電線群１０の周長に対して未加工の電線被覆用コルゲートチューブ２０の周長が長すぎる場合には、例えば、切り離し用切り込み部２６ａより電線被覆用コルゲートチューブ２０の余長部を切り離したうえ、大きく広げたスリット２５から電線被覆用コルゲートチューブ２０の内側に電線群１０を収容して、図５に示すように、電線群１０に余長部を切除した電線被覆用コルゲートチューブ２０を被覆させ、円筒形になるように丸めて電線群１０に密着させる。
【００３２】
さらに、スリット２５の幅を狭めるとともに、電線被覆用コルゲートチューブ２０の外周面に粘着テープを巻き付け、余長部を切除した電線被覆用コルゲートチューブ２０を電線群１０にテープ固定部３０により固定する。
【００３３】
電線被覆用コルゲートチューブ２０は、余長部を切除すると、図中下側に位置している電線被覆用コルゲートチューブ２０の周方向端部と、切り離し用切り込み部２６ａを切り離した後の電線被覆用コルゲートチューブ２０の周方向端部との間にスリット２５が形成されることになる。
【００３４】
これにより、電線被覆用コルゲートチューブ２０は、周方向両端部がラップせず、電線群１０をなす電線１１が電線被覆用コルゲートチューブ２０の周方向両端部に噛み込まれることはなく、電線群１０を確実に被覆することができる。
【００３５】
本実施の形態に係るワイヤハーネス１は、電線被覆用コルゲートチューブ２０の内側から切り離し用切り込み部２６ａ，２６ｂ，２６ｃを切り込んでいるので、電線被覆用コルゲートチューブ２０の余長部を外側に屈曲させて引き千切ることが容易である反面、電線被覆状態では切り離し用切り込み部２６ａ，２６ｂ，２６ｃが残っていても千切れてしまう恐れがない。
【００３６】
本実施の形態に係る電線被覆用コルゲートチューブ２０は、電線群１０の外径の大きさに対して電線被覆用コルゲートチューブ２０の内径が大き過ぎる場合に、所要の切り離し用切り込み部２６ａ，２６ｂ，２６ｃより余長部を切り離して、大きく広げたスリット２５から電線群１０を収容して被覆し、円筒形になるように丸めて電線群１０に密着させ、スリット２５の幅を狭めて粘着テープを巻き付ける。
【００３７】
これにより、電線被覆用コルゲートチューブ２０は、周方向両端部がラップせず、電線群１０をなす電線１１が電線被覆用コルゲートチューブ２０の周方向両端部に噛み込まれることがなく、外径が異なる複数種類の電線群の１０のいずれであっても、電線被覆用コルゲートチューブ２０の内径の大きさを対応させて被覆することができる汎用性を有する。
【００３８】
また、電線被覆用コルゲートチューブ２０は、切り離し用切り込み部２６ａ，２６ｂ，２６ｃが内側から切り込まれているので、外側に屈曲させて余長部を引き千切ることが容易である反面、電線被覆状態では切り離し用切り込み部２６ａ，２６ｂ，２６ｃが残っていても千切れてしまう恐れがない。
【００３９】
電線被覆用コルゲートチューブ２０の余長部を切除するのに際しては、例えば、所要の切り離し用切り込み部２６ａ，２６ｂ，２６ｃのいずれかを手作業により引き千切るか、はさみ等の切断工具を用いて切断する。切断工具を用いる場合、切り離し用切り込み部２６ａ，２６ｂ，２６ｃ自体が切断工具のガイドとなる。
【００４０】
電線被覆用コルゲートチューブ２０は、切り離し切り込み部２６ａを切り離して余長部を切除した場合、切り離し前の約７／８の周長さとなる。電線被覆用コルゲートチューブ２０は、切り離し切り込み部２６ｂを切り離して余長部を切除した場合、切り離し前の約３／４の周長となる。電線被覆用コルゲートチューブ２０は、切り離し切り込み部２６ｃを切り離して余長部を切除した場合、切り離し前の約５／８の周長となる。よって、電線被覆用コルゲートチューブ２０は、外径が異なる複数種類の電線群の１０のいずれであっても、内径の大きさを対応させて被覆することができる汎用性を有する。
【００４１】
これら切り離し切り込み部２６ａ，２６ｂ，２６ｃの位置および数は、余長部を切除した後の電線被覆用コルゲートチューブ２０の周長が被覆対称となる各種の電線群１０の周長に略等しくなるよう設定することが好ましい。
【００４２】
上述した電線被覆用コルゲートチューブ２０において、切り離し用切り込み部２６ａ，２６ｂ，２６ｃは、電線被覆用コルゲートチューブ２０の成形時に形成される構成とすることが好ましい。これにより、電線被覆用コルゲートチューブ成形後、直ちに製品を出荷することができる。
【００４３】
上述した電線被覆用コルゲートチューブ２０において、切り離し用切り込み部２６ａ，２６ｂ，２６ｃは、電線被覆用コルゲートチューブ成形後に機械加工により形成されることが好ましい。これにより、電線被覆用コルゲートチューブ成形用金型の形状が複雑にならず、金型製作費を低減することができる。
【００４４】
以上説明したように、本発明に係る電線被覆用コルゲートチューブおよびワイヤハーネスは、外径の異なる複数種類の電線群のいずれであっても、内径の大きさを対応させて被覆することができる汎用性を有するという効果を有し、電線被覆用コルゲートチューブおよびワイヤハーネス全般に有用である。
【符号の説明】
【００４５】
１  ワイヤハーネス
１０  電線群
２１  大径部
２５  スリット
２６ａ，２６ｂ，２６ｃ  切り離し用切り込み部
３０  テープ固定部
【図１】
2016082781.tif 000003
【図２】
2016082781.tif 000004
【図３】
2016082781.tif 000005
【図４】
2016082781.tif 000006
【図５】
2016082781.tif 000007
【図６】
2016082781.tif 000008